(57)【要約】【課題】操作者の画質に対する要求を自動で画質を調整する制御に反映させることができる画像形成装置、制御装置及びプログラムを提供する。【解決手段】画像形成装置１００は、画像形成部２００を有し、画質に影響する設定の変更を操作者から受け付ける受付手段として用いられていて、操作者からの指示を受け付けた場合に画像形成条件を調整する第１の調整手段として用いられていて、環境情報または濃度センサ２６０の検知結果に応じて画像形成条件を調整する第２の調整手段として用いられていて、第１の調整手段による画像形成条件の調整が行われた場合に、第２の調整手段における画像形成条件を調整するタイミング及び第２の調整手段における画像調整条件の調整量の少なくともいずれか一方を変更する制御手段として用いられている制御部１１０をさらに有する。【選択図】図１１
2016057342.tif 000002
【特許請求の範囲】
【請求項１】
画像を形成する画像形成部と、
前記画像形成部で画像を形成する際の画質に影響する設定の変更を操作者から受け付ける受付手段と、
前記受付手段が操作者からの指示を受け付けた場合に設定内容に応じて画像形成条件を調整する第１の調整手段と、
環境情報または画像形成時の濃度を検知する検知手段の検知結果に応じて前記画像形成条件を調整する第２の調整手段と、
前記第１の調整手段による前記画像形成条件の調整が行われた場合に、前記第２の調整手段における前記画像形成条件を調整するタイミング及び前記第２の調整手段における前記画像調整条件の調整量の少なくともいずれか一方を変更する制御手段と、
を有する画像形成装置。
【請求項２】
前記制御手段は、前記第２の調整手段に対して前記画像形成条件の調整が許容される範囲をさらに変更する請求項１記載の画像形成装置。
【請求項３】
前記制御手段は、前記第２の調整手段における前記画像形成条件の調整がなされる前になされた前記第１の調整手段における前記画像形成条件の複数回の調整情報に基づいて、前記第２の調整手段における前記画像形成条件を調整するタイミング及び前記第２の調整手段における前記画像調整条件の調整量の少なくともいずれか一方を変更する請求項１又は２記載の画像形成装置。
【請求項４】
前記第１の調整手段による前記画像形成条件の調整情報を記憶する記憶手段と、
前記記憶手段に記憶された前記第１の調整手段による前記画像形成条件の調整情報を外部記憶装置に送信する送信手段と、
をさらに有する請求項１乃至３いずれか記載の画像形成装置。
【請求項５】
画像を形成する画像形成部と、
前記画像形成部で画像を形成する際の画質に影響する設定の変更を操作者からの指示を受け付ける受付手段と、
前記受付手段が操作者からの指示を受け付けた場合に設定内容に応じて画像形成条件を調整する第１の調整手段と、
環境情報または画像形成時の濃度を検知する検知手段の検知結果に応じて前記画像形成条件を調整する第２の調整手段と、
を有し、
前記第１の調整手段による前記画像形成条件の調整が行われた場合に、前記第２の調整手段における前記画像形成条件を調整するタイミング及び前記第２の調整手段における前記画像調整条件の調整量の少なくともいずれか一方が外部制御手段によって制御される画像形成装置。
【請求項６】
画像を形成する画像形成部と、
前記画像形成部で画像を形成する際の画質に影響する設定の変更を受け付ける受付手段と、
を有し、
前記受付手段が操作者からの指示を受け付けた場合に設定内容に応じて画像形成条件が第１の外部調整手段により調整され、
環境情報または画像形成時の濃度を検知する検知手段の検知結果に応じて前記画像形成条件が第２の外部調整手段により調整され、
前記第１の調整手段による前記画像形成条件の調整が行われた場合に、前記第２の調整手段における前記画像形成条件を調整するタイミング及び前記第２の調整手段における前記画像調整条件の調整量の少なくともいずれか一方が外部制御手段によって制御される画像形成装置。
【請求項７】
画像を形成する画像形成部と、前記画像形成部で画像を形成する際の画質に影響する設定の変更を受け付ける受付手段と、を有する画像形成装置を制御し、
前記受付手段が操作者からの指示を受け付けた場合に設定内容に応じて画像形成条件を調整する第１の調整手段と、
環境情報または画像形成時の濃度を検知する検知手段の検知結果に応じて前記画像形成条件を調整する第２の調整手段と、
前記第１の調整手段による前記画像形成条件の調整が行われた場合に、前記第２の調整手段における前記画像形成条件を調整するタイミング及び前記第２の調整手段における前記画像調整条件の調整量の少なくともいずれか一方を変更する制御手段と、
を有する制御装置。
【請求項８】
画像を形成する画像形成部で画像を形成する際の画質に影響する設定の変更を操作者から受け付ける受付ステップと、
前記受付ステップで操作者からの指示を受け付けた場合に設定内容に応じて画像形成条件を調整する第１の調整ステップと、
環境情報または画像形成時の濃度を検知する検知手段の検知結果に応じて前記画像形成条件を調整する第２の調整ステップと、
前記第１の調整手ステップによる前記画像形成条件の調整が行われた場合に、前記第２の調整ステップにおける前記画像形成条件を調整するタイミング及び前記第２の調整ステップにおける前記画像調整条件の調整量の少なくともいずれか一方を変更する制御ステップと、
をコンピュータに実行させるプログラム。
【発明の詳細な説明】
【技術分野】
【０００１】
本発明は画像形成装置、制御装置及びプログラムに関する。
【背景技術】
【０００２】
特許文献１には、感光体ドラムと、前記感光体ドラムを一様に帯電させる帯電装置と、前記感光体ドラムを露光して潜像を形成する露光装置と、現像ローラを用いて前記潜像にトナーを付着させて前記潜像を現像する現像装置とを備える画像形成部のプロセスコントロールを実施するタイミングをユーザーが指示する手動設定モードを有する画像形成装置であって、前回のプロセスコントロール実施以後の累積動作情報を算出及び記憶する累積動作情報管理部と、前記手動設定モードでは前記指示があった時点での前記累積動作情報を閾値に設定する閾値設定部と、前記累積動作情報が前記閾値に達したタイミングでプロセスコントロールを実施すると共に前記累積動作情報をリセットするプロセスコントロール管理部とを備える画像形成装置が記載されている。
【０００３】
特許文献２には、画像データに基づいて印字媒体上に画像を形成するための処理を行う画像形成手段と、第１の条件を用いて前記画像形成手段における画像形成処理を安定化するための動作である安定化動作を実施するか否かを判断して実行する第１の安定化動作手段と、第２の条件を用いて前記安定化動作を実施するか否かを判断して実行する第２の安定化動作手段と、前記第１の安定化動作手段での安定化動作の実施頻度である第１の実施頻度、および前記第２の安定化動作手段での安定化動作の実施頻度である第２の実施頻度を記憶する記憶手段と、前記安定化動作の実施頻度レベルを設定する設定手段と、前記記憶手段に記憶された前記第１の実施頻度および前記第２の実施頻度の関係と、前記設定手段で設定された実施頻度レベルとに基づいて、前記第１の安定化動作手段での安定化動作の実施頻度レベルである第１の実施頻度レベルと前記第２の安定化動作手段での安定化動作の実施頻度レベルである第２の実施頻度レベルとのいずれか一方を変更する変更手段とを備える、画像形成装置が記載されている。
【先行技術文献】
【特許文献】
【０００４】
【特許文献１】特許第５０６７２７５号公報
【特許文献２】特開２００８−１７０７９９号公報
【発明の概要】
【発明が解決しようとする課題】
【０００５】
本発明は、画質を調整する際に操作者の画質に対する要求を自動で画質を調整する制御に反映させることができる画像形成装置、制御装置及びプログラムを提供することを目的とする。
【課題を解決するための手段】
【０００６】
請求項１に係る本発明は、画像を形成する画像形成部と、前記画像形成部で画像を形成する際の画質に影響する設定の変更を操作者から受け付ける受付手段と、前記受付手段が操作者からの指示を受け付けた場合に設定内容に応じて画像形成条件を調整する第１の調整手段と、環境情報または画像形成時の濃度を検知する検知手段の検知結果に応じて前記画像形成条件を調整する第２の調整手段と、前記第１の調整手段による前記画像形成条件の調整が行われた場合に、前記第２の調整手段における前記画像形成条件を調整するタイミング及び前記第２の調整手段における前記画像調整条件の調整量の少なくともいずれか一方を変更する制御手段と、を有する画像形成装置である。
【０００７】
請求項２に係る本発明は、前記制御手段は、前記第２の調整手段に対して前記画像形成条件の調整が許容される範囲をさらに変更する請求項１記載の画像形成装置である。
【０００８】
請求項３に係る本発明は、前記制御手段は、前記第２の調整手段における前記画像形成条件の調整がなされる前になされた前記第１の調整手段における前記画像形成条件の複数回の調整情報に基づいて、前記第２の調整手段における前記画像形成条件を調整するタイミング及び前記第２の調整手段における前記画像調整条件の調整量の少なくともいずれか一方を変更する請求項１又は２記載の画像形成装置である。
【０００９】
請求項４に係る本発明は、前記第１の調整手段による前記画像形成条件の調整情報を記憶する記憶手段と、前記記憶手段に記憶された前記第１の調整手段による前記画像形成条件の調整情報を外部記憶装置に送信する送信手段と、をさらに有する請求項１乃至３いずれか記載の画像形成装置である。
【００１０】
請求項５に係る本発明は、画像を形成する画像形成部と、前記画像形成部で画像を形成する際の画質に影響する設定の変更を操作者からの指示を受け付ける受付手段と、前記受付手段が操作者からの指示を受け付けた場合に設定内容に応じて画像形成条件を調整する第１の調整手段と、環境情報または画像形成時の濃度を検知する検知手段の検知結果に応じて前記画像形成条件を調整する第２の調整手段と、を有し、前記第１の調整手段による前記画像形成条件の調整が行われた場合に、前記第２の調整手段における前記画像形成条件を調整するタイミング及び前記第２の調整手段における前記画像調整条件の調整量の少なくともいずれか一方が外部制御手段によって制御される画像形成装置である。
【００１１】
請求項６に係る本発明は、画像を形成する画像形成部と、前記画像形成部で画像を形成する際の画質に影響する設定の変更を受け付ける受付手段と、を有し、前記受付手段が操作者からの指示を受け付けた場合に設定内容に応じて画像形成条件が第１の外部調整手段により調整され、環境情報または画像形成時の濃度を検知する検知手段の検知結果に応じて前記画像形成条件が第２の外部調整手段により調整され、前記第１の調整手段による前記画像形成条件の調整が行われた場合に、前記第２の調整手段における前記画像形成条件を調整するタイミング及び前記第２の調整手段における前記画像調整条件の調整量の少なくともいずれか一方が外部制御手段によって制御される画像形成装置である。
【００１２】
請求項７に係る本発明は、画像を形成する画像形成部と、前記画像形成部で画像を形成する際の画質に影響する設定の変更を受け付ける受付手段と、を有する画像形成装置を制御し、前記受付手段が操作者からの指示を受け付けた場合に設定内容に応じて画像形成条件を調整する第１の調整手段と、環境情報または画像形成時の濃度を検知する検知手段の検知結果に応じて前記画像形成条件を調整する第２の調整手段と、前記第１の調整手段による前記画像形成条件の調整が行われた場合に、前記第２の調整手段における前記画像形成条件を調整するタイミング及び前記第２の調整手段における前記画像調整条件の調整量の少なくともいずれか一方を変更する制御手段と、を有する制御装置である。
【００１３】
請求項８に係る本発明は、画像を形成する画像形成部で画像を形成する際の画質に影響する設定の変更を操作者から受け付ける受付ステップと、前記受付ステップで操作者からの指示を受け付けた場合に設定内容に応じて画像形成条件を調整する第１の調整ステップと、環境情報または画像形成時の濃度を検知する検知手段の検知結果に応じて前記画像形成条件を調整する第２の調整ステップと、前記第１の調整手ステップによる前記画像形成条件の調整が行われた場合に、前記第２の調整ステップにおける前記画像形成条件を調整するタイミング及び前記第２の調整ステップにおける前記画像調整条件の調整量の少なくともいずれか一方を変更する制御ステップと、をコンピュータに実行させるプログラムである。
【発明の効果】
【００１４】
請求項１に係る本発明によれば、画質を調整する際に操作者の画質に対する要求を自動で画質を調整する制御に反映させることができる画像形成装置を提供することができる。
【００１５】
請求項２に係る本発明によれば、画質を調整する際に調整の前後における画質の変化を抑制しつつ操作者の画質に対する要求を自動で画質を調整する制御に反映させることができる画像形成装置を提供することができる。
【００１６】
請求項３に係る本発明によれば、第２の調整手段における画像形成条件の調整がなされる前になされた第１の調整手段における前記画像形成条件の１回の調整情報に基づいて、第２の調整手段における画像形成条件を調整するタイミング及び第２の調整手段における画像調整条件の調整量の少なくともいずれか一方を変更するものと比較して、操作者の画質に対する要求を自動で画質を調整する制御に正確に反映させることができる画像形成装置を提供することができる。
【００１７】
請求項４に係る本発明によれば、画像形成条件の調整情報を画像形成装置が有する記憶手段に記憶させ続ける場合と比較して、記憶することができる画像形成条件の容量を大きくすることができる画像形成装置を提供することができる。
【００１８】
請求項５に係る本発明によれば、画質を調整する際に操作者の画質に対する要求を自動で画質を調整する制御に反映させることができる画像形成装置を提供することができる。
【００１９】
請求項６に係る本発明によれば、画質を調整する際に操作者の画質に対する要求を自動で画質を調整する制御に反映させることができる画像形成装置を提供することができる。
【００２０】
請求項７に係る本発明によれば、画質を調整する際に操作者の画質に対する要求を自動で画質を調整する制御に反映させることができる制御装置を提供することができる。
【００２１】
請求項８に係る本発明によれば、画質を調整する際に操作者の画質に対する要求を自動で画質を調整する制御に反映させることができるプログラムを提供することができる。
【図面の簡単な説明】
【００２２】
【図１】本発明の実施形態が適用される第１の画像形成システムの全体構成を示す図である。
【図２】図１に示す画像形成システムに属する画像形成装置であって、本発明の第１の実施形態に係る画像形成装置のハードウエア構成を示すブロック図である。
【図３】図２に示した画像形成装置の構成を示す断面である。
【図４】図２に示した画像形成装置のＵＩ部の表示を示す第１の図である。
【図５】図２に示した画像形成装置が有する中間転写体に形成された調整用パターンを示す図である。
【図６】図２に示した画像形成装置の指示調整モードにおいて実行される処理の概要を示すフローチャートである。
【図７】図２に示した画像形成装置の指示調整モードにおいて階調補正をする場合の処理の概要を示すフローチャートである
【図８】図２に示した画像形成装置が指示調整モードで階調補正をする際の画像形成条件の調整情報を示す図表である。
【図９】図２に示した画像形成装置のＵＩ部の表示を示す第２の図である。
【図１０】図２に示した画像形成装置が指示調整モードで濃度を調整する際の画像形成条件の調整情報を示す図表である。
【図１１】図２に示した画像形成装置の自動調整モードにおける制御の一例を示す図表である。
【図１２】図２に示した画像形成装置の自動調整モードにおける制御の他の例を示す図表である。
【図１３】図２に示した画像形成装置の自動調整モードにおける制御のさらに他の例を示す図表である。
【図１４】本発明の実施形態が適用される第２の画像形成システムの全体構成を示す図である。
【発明を実施するための形態】
【００２３】
次に、本発明を実施するための形態を図面を参照して説明する。
図１は、本発明が適用される第１の画像形成システム１０を示す図である。図１に示されているように画像形成システム１０は、本発明の第１の実施形態に係る画像形成装置１００と外部記憶装置９１０とを有する。画像形成装置１００と外部記憶装置９１０とは、例えば有線の通信路９０２により接続されている。有線の通信路９０２に替えて、無線の通信路で画像形成装置１００と外部記憶装置９１０とを接続しても良い。また、画像形成装置１００と外部記憶装置９１０とを接続する通信路としてインターネットを用いても良い。
【００２４】
外部記憶装置９１０には、画像形成装置１００が画像を形成する条件である画像形成条件に関するデータが画像形成装置１００から送信され、送信された画像形成に関するデータを外部記憶装置９１０が記憶する。また、外部記憶装置９１０に記憶された画像形成条件に関するデータは、画像形成装置１００から呼び出される。外部記憶装置９１０としては、例えばサーバ装置やパーソナルコンピュータ装置を用いることができる。
【００２５】
画像形成装置１００は、画像を記録媒体に形成する装置（プリンタ）である。ここでいう記頷媒体は、本実施例では用紙であるが、必ずしも用紙に限定されない。また、画像形成装置１００の記録方式は、ここでは電子写真方式であるとする。すなわち、画像形成装置１００は、帯電、露光、現像、転写、定着といったプロセスによって、トナーによる画像を用紙に形成する。画像形成装置１００の詳細は後述する。
【００２６】
図２は、画像形成装置１００のハードウエア構成を示すブロック図である。
図２に示すように、画像形成装置１００は、制御部１１０と、原稿読取部１３０と、ＵＩ部（User Interface部）１４０と、記憶部１５０と、通信部１６０と、画像形成部２００とを有している。
【００２７】
制御部１１０は、例えば、ＣＰＵ（Central Processing Unit）等の演算回路を備えていて、本発明の実施形態に係るプログラムを実行することによって画像形成に関する制御を実行する。本実施形態に係るプログラムは、記憶部１５０に記憶されたものを制御部１１０が読み出して実行してもよいし、通信路９０２から制御部１１０に提供されるようにしてもよいし、例えばＣＤ−ＲＯＭ等の記憶媒体に格納して制御部１１０に提供するようにしてもよい。また、制御部１１０は、本発明に関する受付手段、第１の調整手段、第２の調整手段及び制御手段の一例に相当するものである。
【００２８】
原稿読取部１３０は、原稿を読み取り、読み取った原稿に応じた画像データを生成する。原稿読取部１３０は、光源１３２（図３を参照）と、例えばＣＣＤ（Charge Coupled Device）イメージセンサなどの撮影素子１３４（図３を参照）と、撮影素子１３４の出力値に応じて画像データを生成する画像データ生成回路（不図示）とを有する。
【００２９】
ＵＩ部１４０は、操作者との情報のやり取りをする手段である。ＵＩ部１４０は、操作者からの情報を受け取る情報受取部と、操作者に情報を提供する情報提供部とを有している。情報受取部としては、例えばボタン（キー）を用いることができる。また、情報提供部としては、例えば液晶表示装置等の表示装置やスピーカー等を用いることができる。また、ＵＩ部１４０を、後述するタッチスクリーン１４２（図４を参照）のように、情報受取部としても情報提供部としても用いることができる装置を有するように構成しても良い。
【００３０】
記憶部１５０は、データを記憶する手段であり、例えばハードディスク、フラッシュメモリ等の記録媒体を用いることができる。また、記憶部１５０は、画像形成に用いられるデータを記憶したり、制御部１１０の演算により生成及び出力されたデータを記録したりする。制御部１１０の演算により生成及び出力されたデータとしては、例えば、画像形成部２００で画像を形成する際の条件である画像形成条件等を挙げることができる。
【００３１】
通信部１６０は、通信路９０２を介してデータを送受信する手段である。通信部１６０は、外部記憶装置９１０等の外部機器との通信に応じた通信インターフェイスを備えている。例えば、ネットワークを介して通信をする場合、通信部１６０はＮＩＣ（Network Interface Card）やモデムを有する。また、例えば、ＵＳＢケーブルを介して外部と有線接続する場合、ＵＳＢポートを備える。
【００３２】
画像形成部２００は、用紙等の記録媒体に画像を形成する手段である。画像形成部２００は、操作者からの指示に応じて、画像データに応じた画像を記録媒体に形成する。ここで、画像データは通信路９０２を介して外部から供給されても良いし、原稿読取部１３０によって生成されても良い。また、画像形成部２００は、例えば、イエローのトナー像、マゼンタのトナー像、シアンのトナー像及び黒のトナー像をそれぞれに形成し、これらのトナー像を重ね合わせるように記録媒体に転写してカラー画像を形成するものを用いることができる。画像形成部２００の詳細は後述する。
【００３３】
図３は、画像形成装置１００の断面図である。
画像形成装置１００は、先述のように原稿読取部１３０と、画像形成部２００とを有する。そして、図３に示されているように、画像形成部２００は、用紙供給部２１０と、現像ユニット２２０Ｙ、現像ユニット２２０Ｍ、現像ユニット２２０Ｃ及び現像ユニット２２０Ｋと、露光部２３０と、中間転写体２４０と、２次転写ロール２４２と、定着装置２５０と、濃度センサ２６０と、クリーニング部材２４４と、環境センサ２６２とを有する。また、原稿読取部１３０は、先述のように光源１３２と、撮影素子１３４とを有する。
【００３４】
用紙供給部２１０は、画像が形成される前の用紙を収容し、必要に応じてこれを供給する。用紙供給部２１０は、サイズや紙種が異なる複数種類の用紙を収容してもよい。
【００３５】
現像ユニット２２０Ｙ、現像ユニット２２０Ｍ、現像ユニット２２０Ｃ、現像ユニット２２０Ｋは、それぞれがトナー像を形成してトナー像を形成して中間転写体２４０に転写する。現像ユニット２２０Ｙ、現像ユニット２２０Ｍ、現像ユニット２２０Ｃ、現像ユニット２２０Ｋは、それぞれが、感光体と、感光体を帯電させる帯電装置と、感光体にトナーを供給する現像装置と、トナーを中間転写体２４０に転写する１次転写ロールとを備え、イエロー（Ｙ）、マゼンタ（Ｍ）、シアン（Ｃ）、黒（Ｋ）のトナー像をそれぞれ形成する。なお、現像装置には、トナー濃度（トナーとキャリアの混合比）を計測するためのトナー濃度センサが設けられている。
【００３６】
露光部２３０は、現像ユニット２２０Ｙ、現像ユニット２２０Ｍ、現像ユニット２２０Ｃ、現像ユニット２２０Ｋの帯電された感光体を露光し、照射した光に応じた静電潜像をそれぞれの感光体に形成する。中間転写体２４０は、回転する部材であり、無端状、ベルト状の部材であり、感光体上の潜像に応じて形成されたトナー像を搬送する部材である。２次転写ロール２４２は、予め決められた位置（二次転写位置）において中間転写体２４０に接触していて、２次転写位置において用紙供給部２１０から供給された用紙にトナー像を転写する。定着装置２５０は、トナー像が転写された用紙を加熱及び加圧し、トナーを用紙に定着させる。
【００３７】
濃度センサ２６０は、中間転写体２４０に形成されたトナー像の濃度を計測するセンサである。ここでいう濃度とは、光学濃度のことであり、色の濃さのことである。濃度センサ２６０は、本実施形態においては、トナー像に光を照射し、その反射光の強度に基づいてトナー像の単位面積当たりのトナーによる被覆率（カバレッジ）を計測する。
【００３８】
クリーニング部材２４４は、中間転写体２４０に形成され、用紙に転写されなかったトナーを取り除く部材である。クリーニング部材２４４は、例えば、後述する調整用パターン（図６を参照）を中間転写体２４０から除去するためにも用いられる。
【００３９】
環境センサ２６２は、画像形成時の環境を計測するセンサである。ここでいう環境には、温度、湿度、気圧などが含まれる。本実施例において、環境センサ２６２は温度及び湿度を計測するセンサであるとする。
【００４０】
光源１３２は、読み取り対象の画像を含んだ原稿に光を照射する。光源１３２としては、例えば蛍光管ランプやＬＥＤ（Light Emitting Diode）を用いることができる。撮影素子１３４は、光源１３２から照射された光のうちの原稿において反射した反射光を受光し、受光した光に応じた電気信号を出力する。
【００４１】
以上のように構成された画像形成装置１００は、操作者の操作に応じて画像を形成する。また、画像形成装置１００は、画像を形成する際の画質に影響する設定の変更を操作者から受け付けると、操作者からの指示を受け付けた場合に設定内容に応じて画像形成条件を調整する。また、画像形成装置１００は、環境センサ２６２により取得された環境情報または濃度センサ２６０によって検知された画像形成時の濃度に応じて画像形成条件を調整する。ここで環境情報としては、例えば温度、湿度、気圧等を挙げることができる。以下、操作者からの指示を受け付けた場合に、画像形成装置１００が画像形成条件を調整する動作モードを「指示調整モード」と呼び、操作者からの指示を受け付けた場合を除き、例えば環境情報または画像形成時の画像の濃度に応じて、画像形成条件を画像形成装置１００が画像形成条件を調整する動作モードを「自動調整モード」と呼ぶ。ここで、画像形成条件とは、画像形成装置１００が画像を形成する際の諸条件であり、画像形成装置１００において設定される画質に関連する各種パラメータを例えば含み、画像形成装置１００が画像を形成する際における温度や湿度等の環境条件を例えば含む。
【００４２】
図４は、ＵＩ部１４０が有するタッチスクリーン１４２に表示される画面の一倒を示す図である。画像形成装置１００の操作者は、予め決められた操作を行うことによって図４に示されている画面を表示させることができる。タッチスクリーン１４２には、階調補正ボタン１４４と濃度調整ボタン１４６とが表示されている。そして、操作者によって階調補正ボタン１４４が押された場合は、画像形成装置１００は、指示調整モードを実行し階調補正を行う。また、操作者によって濃度調整ボタン１４６が押された場合は、画像形成装置１００は、指示調整モードを実行し濃度補正を行う。このように、操作者が階調補正ボタン１４４を押すことと操作者が濃度調整ボタン１４６を押すこととは、画像を形成する際の画質に影響する設定の変更に相当する。
【００４３】
階調補正では、濃度が異なる複数のトナー像が中間転写体２４０に形成され、これらに基づいて画像形成条件が変更され、階調が補正される。具体的には、階調補正においては、中間転写体２４０に予め定められた濃度（すなわち目標濃度）になるように形成されたトナー像である調整用パターン（図５を参照）を濃度センサ２６０で読み取り、実際に計測された濃度と目標とする濃度との濃度差に基づいて画像形成条件が変更される。
【００４４】
また、濃度調整は、上述の階調補正とは異なり、画像（トナー像）を形成せずに操作者の操作によって画像の濃度を調整するものである。操作者は、画像の濃度を薄くしたい場合には形成される画像が薄くなるように画像形成条件を調整をすることができ、画像濃度を濃くしたい場合には形成される画像が濃くなるように画像形成条件を調整することができる。
【００４５】
図５は、画像形成条件の調整をするに際して中間転写体２４０に形成されるトナー像のパターン（以下、「調整用パターン」とする）を示す図である。調整用パターンは、現像ユニット２２０Ｙ、現像ユニット２２０Ｍ、現像ユニット２２０Ｃ、現像ユニット２２０Ｋによって形成された複数のトナー像のパッチからなる。より具体的には、調整用パターンは、予め定められた濃度のトナー像であるパッチＫ１００、Ｋ７５、Ｋ５０、Ｋ２５、Ｃ１００、Ｃ７５、Ｃ５０、Ｃ２５、Ｍ１００、Ｍ７５、Ｍ５０、Ｍ２５、Ｙ１００、Ｙ７５、Ｙ５０、Ｙ２５を予め定められたられた順序で濃度センサ２６０で読み取ることができるように配置したものである。
【００４６】
ここで、各パッチの符号はトナー像の色に対応しており、その添字はトナーの濃度（単位は％）に対応している。例えば、パッチＫ１００は、黒のトナーを用いて１００％の被覆率となるように形成されたものである。また、パッチＫ１００は、各色の階調数が２５６階調（すなわち８ビット）である場合に、入力値として「２５５」すなわち最大値が設定されたトナー像である。
【００４７】
なお、調整用パターンは、濃度センサ２６０で読み取ることができるように中間転写体２４０に形成されれば十分であり、用紙に転写される必要はない。調整用パターンは、濃度センサ２６０で読み取られた後にクリーニング部材２４４によって中間転写体２４０から除去される。
【００４８】
本実施例において指示調整モードを実行することにより画像形成条件の調整をする場合、画像形成装置１００は、以下のように動作する。
【００４９】
図６は、指示調整モードにおいて実行される処理の慨要を示すフローチャートである。図６に示す処理は、階調補正がなされる場合と濃度調整がなされる場合とに共通する流れを示している。ただし、各ステップにおける処理の詳細は、階調補正と濃度調整とで異なる。図６に示されているように、制御部１１０は、まず、操作者による画像形成条件を調整する旨の指示が行われたか否かを判別し（ステップＳ１００）、指示があったと判別した場合、以下で説明する処理を実行させる。
【００５０】
すなわち、指示調整モードでの画像形成条件の調整が指示されたとの判別がなされた場合、制御部１１０は、操作者の指示に応じて画像形成条件の変更を変更させる（ステップＳ２００）。そして、制御部１１０は、調整の前における画像形成条件と調整の後における画像形成条件とを例えば記憶部１５０に記録されるか、外部記憶装置９１０へと送信させ（ステップＳ３００）、一連の処理を完了させる。
【００５１】
図７は、画像形成条件の調整（ステップＳ２００）として、階調補正をする場合の具体的な処理を示すフローチャートである。階調補正をする場合、制御部１１０は、画像形成部２００に先述の調整用パターン（図６を参照）を中間転写体２４０へと形成させる。そして、制御部１１０は、中間転写体２４０に形成された調整用バターンを濃度センサ２６０で読み取らせ、各パッチの濃度を濃度センサ２６０に測定させる（ステップＳ２０４）。そして、画像形成装置１００は、ステップＳ２０４で測定させた濃度と目標濃度との濃度差を算出し（ステップＳ２０６）、ステップＳ２０６で算出した濃度差に基づいて画像形成条件の補正量を算出する（ステップＳ２０８）。そして、画像形成装置１００は、ステップＳ２０８で算出した補正量に基づいて画像形成条件を変更させ（ステップＳ２１０）、一連の処理が完了する。
【００５２】
ここで、制御部１１０は、ステップＳ２０８において、例えば、帯電時の出力値（帯電出力）、露光時の出力値（露光出力）、現像時のバイアス電位（現像バイアス出力）のいずれかの補正量を算出して、ステップＳ２１０においてこれらの値のうち補正量を算出したものを変更させる。あるいは、制御部１１０は、画像データの階調値に対して適用するルックアップテーブルの値を補正することで画像形成条件を変更させてもよい。上述の帯電出力、露光出力、現像バイアス出力及びルックアップテーブルの値は、いずれもが本実施形態における画像形成条件の一例に相当する。
【００５３】
図８は、画像形成装置１００が指示調整モードで階調補正をする際の画像形成条件の調整情報を示す図表である。図８に示されている画像形成条件の調整情報は、画像形成装置１００が指示調整モードで階調補正をする際に、例えば記憶部１５０に記憶される。ここでいう記憶とは、画像形成装置１００内部での記憶と例えば外部記憶装置９１０での記憶等、画像形成装置１００の外部での記憶とを含むものである。図８に示す調整情報は、例えば単一のデータファイルとして記録又は送信することができる。また、制御部１１０は、作者からの指示により画像形成条件を変更させる毎に、これらの調整情報を記録させ又は送信させる。記憶された調整情報は、自動調整モードで画像形成条件を調整する場合に参照される。制御部１１０は、操作者の指示によって画像形成条件を変更する毎に調整情報を記憶させ、古い調整情報を削除させることなく画像形成条件を蓄積させてもよい。
【００５４】
図８に示されているように、調整情報として記憶される画像形成条件は、それぞれのパッチの濃度差、パッチや濃度センサのエラー情報、ルックアップテーブル（ＬＵＴ）の値、帯電出力、露光出力、バイアス出力（現像バイアス出力）、感光体膜厚、現像剤劣化、転写部材劣化、トナー濃度濃度差（各パッチの濃度差）、トナー濃度センサのエラー情報、温度差、環境センサ２６２のエラー情報等を含むデータである。各パッチの濃度差は、色毎、濃度毎に保存される。これらの情報は、画像形成条件を調整する前の画像形成情報に基づいて形成されたバッチの濃度と目標濃度との差を示すものであり、画像形成条件を調整する前の画像形成条件を示す情報の一例である。
【００５５】
パッチエラーは、パッチが適正に形成されなかったことを示す情報である。例えば、パッチが形成されなかった場合や、濃度差が予め定められた閾値を超えるような異常なパッチが形成された場合には、パッチの形成にエラーが発生したことを示す情報が記憶される。また、濃度センサエラーは、パッチは適正に形成されたものの、そのパッチの読み取りが適正に行われなかったことを示す情報である。
【００５６】
帯電出力、露光出力、現像バイアス出力及びルックアップテーブルの値は、それぞれ操作者の指示による階調補正による補正後の値が記憶される。これらの値は、操作者の指示により画像形成条件が変更された後の画像形成条件を示す情報の一例である。
【００５７】
ルックアップテーブル（ＬＵＴ）の値は、各パッチの濃度に対応する入力値、すなわち６４（２５％）、１２８（５０％）、１９２（７５％）、２５５（１００％）にそれぞれ対応する各値が記憶される。ルックアップテーブルの値は、２５６階調の各入力値に対応する値がそれぞれ記憶されてもよいが、保存情報のデータ量の観点から、ルックアップテーブルの特徴（傾向）が特定可能な程度の値が記憶されてもよい。
【００５８】
感光体膜厚、現像剤劣化及び転写部材劣化は、それぞれ、操作者から画像形成条件を調整する指示を受けた時点における消耗品の使用の程度をあらわす情報である。例えば、感光体膜厚は、感光体を使用によって薄くなり、帯電性能が低下する。これらの情報は、例えば消耗品の使用を開始した日時やその日時からからの経過時間によって表すことができる。
【００５９】
トナー濃度濃度差は、操作者からの画像形成条件の変更の指示を受けた時点のトナー濃度とその目標とする濃度との差をあらわす情報である。また、トナー濃度センサエラー情報は、トナー濃度が測定されなかったり、あるいはトナー濃度として異常な値が計測されたりした場合などに、エラーが発生したことを示すものである。
【００６０】
温湿度は、操作者からの画像形成条件の調整の指示を受けた時点における環境センサ２６２によって測定された温度及び湿度をあらわす情報である。また、環境センサ２６２のエラー情報は、温湿度が計測されなかったり、温湿度として異常な値が測定されたりした場合などに、エラーが発生したことを示すものである。
【００６１】
なお、調整情報として記憶される画像形成条件は、図８に例示したものに限定されず、例えば、画像形成の速度（プロセススピード）、用いる用紙の種類（普通紙、厚紙など）、画像を形成するモード（文字モード、写真モード、高精度モードなど）といった画像形成条件を含んでよい。
【００６２】
また、画像形成装置１００は、画像形成条件を変更する前のみならず、画像形成条件を変更した後に調整用パターンを形成し、形成した調整用パターンを読み取り、画像形成条件の変更前後の調整情報を例えば濃度差と関連付けて記憶又は送信するようにしてもよい。また、濃度差と同様に、ルックアップテーブルの値、帯電出力、露光出力、現像バイアス出力などについても、画像形成条件の変更前後の調整情報を関連付けて記憶又は送信するようにしてもよい。
【００６３】
次に、指示調整モードによる画像形成条件の調整（図８におけるステップＳ２００を参照）として、濃度調整をする場合の処理について説明する。
【００６４】
図９は、ＵＩ部１４０が有するタッチスクリーン１４２に表示される画面の一例を示す図であり、タッチスクリーン１４２の濃度調整ボタン１４６（図４を参照）が押された場合に表示される画面を示す図である。
【００６５】
図９に示すタッチスクリーン１４２の画面は、イエロー、マゼンタ、シアン、黒の各色について、濃度領域を「低濃度」、「中濃度」、「高濃度」の３つに分け、それぞれについて基準の濃度（０）よりも濃くする場合には正の値、薄くする場合には負の値が操作者によって入力されるようになっている。例えば、図９の例では、イエローは中濃度のみ基準よりも濃くなる一方で、マゼンタは各濃度について基準よりも薄くなる。
【００６６】
先に説明をした画像形成条件の調整として階調補正をする場合とは異なり、画像形成条件の変更として濃度の調整をする場合は、制御部１１０は調整用パターンを形成させない。操作者がＵＩ部１４０のタッチスクリーン１４２を操作することによる操作者の指示があると、指示に応じた濃度で画像が形成されるように、制御部１１０は画像形成装置１００は画像形成条件（ここではルックアップテーブル）を変更する。
【００６７】
図１０は、画像形成装置１００が指示調整モードで濃度の調整をする際の画像形成条件の調整情報を示す図表である。図１０に示されている画像形成条件の調整情報は、画像形成装置１００が指示調整モードで濃度の調整をする際に、例えば記憶部１５０に記憶される。図１０に示されている画像形成条件は、調整前のルックアップテーブルの値と、操作者の操作に応じたルックアップテーブルの調整値とが含まれている。画像形成条件の調整前におけるルックアップテーブルの値は、全ての入力値について記憶されてもよいし、低濃度・中濃度・高濃度の代表的ないくつかの入力値のみ記憶されてもよい。また、ルックアップテープルの調整値は、図９に示す画面において操作者によって入力された値に対応する値である。
【００６８】
次に、本実施形態において自動調整モードを実行することにより画像形成条件の調整をする場合の画像形成装置１００の動作を説明する。自動調整モードにおいては、指示調整モードが実行された時点での画像形成条件（図８、図１０を参照）に基づいて、画像形成条件の調整を実行するタイミングと、調整する画像形成条件の調整量との少なくともいずれか一方が制御部１１０によって制御される。以下、制御部１１０による制御についてより具体的に説明する。
【００６９】
図１１には、自動調整モードにおける制御部１１０による制御の一例が示されている。図１１に示されている例においては、環境情報の１つである温湿度に基づいて、自動調整モードで画像形成条の調整を実行するタイミングが制御部１１０によって変更される。
【００７０】
この例では、直前の指示調整モードで画像形成条件の調整がなされた際に、温湿度が通常である場合と、高温高湿である場合と、低温低湿である場合とで、制御部１１０は、それぞれに異なるタイミングで自動調整モードによる画像形成条件の変更を実行させる。
【００７１】
すなわち、直前に指示調整モードによる画像形成条件の調整がなされた際に高温、高湿である場合と、低温、低湿である場合とは、制御部１１０は、一連の画像形成動作を始める前に（以下、「ジョブ前」とする）に自動調整モードでの画像形成条件の変更を実行させ、一連の画像形成動作中（以下、「ジョブ中」）は、１００枚の画像形成がさせる毎に１００枚間隔で画像形成条件の変更を実行させ、一連の画像形成動作が終了させた後（以下、「ジョブ後」とする）は、先に自動調整モードでの画質の調整を実行させてから５０枚の画像が形成された毎に５０枚間隔で画像形成条件の変更を実行させる。
【００７２】
これに対して、直前に指示調整モードによる画像形成条件の変更がなされた際に温度、湿度が通常であれば、制御部１１０は、ジョブ前に画像形成条件の変更を実行させず、ジョブ中は、２００枚の画像形成がされた毎に２００枚間隔で自動調整モードでの画像形成条件の変更を実行させ、ジョブ後は、先に自動調整モードでの画質の調整を実行してから１００枚の画像が形成された毎に１００枚間隔で画像形成条件の変更を実行させる。
【００７３】
ここで、高温、高湿とは、温度が３０°Ｃ以上であり且つ相対湿度が７０％ＲＨ以上である場合とし、低温、低湿とは、温度が１０°Ｃ以下であり且つ相対湿度が２０％ＲＨ以下である場合とする。また、通常とは、上述の高温、高湿、上述の低温、低湿のいずれにも該当しない場合とする。以上で説明をしたように温度の分布と相対湿度の分布とに応じて自動調整モードで画像形成条件の変更を実行するタイミングを制御することに替えて、絶対湿度に単数又は複数の閾値を設け、閾値の前後で自動調整モードで画像形成条件の調整を実行するタイミングを異ならせるようにしてもよい
【００７４】
また、以上の例では、制御部１１０は、指示調整モードであって直前に実行されたもの画像形成条件の調整がなされた時点における温湿度に基づいて自動調整モードで画像形成条件の調整を実行させるタイミングを制御しているものの、制御部１１０が、例えば５回等、自動調整モードでの画像形成条件を変更する前に実行された複数回の指示調整モード時における温湿度の分布に基づいて自動調整モードで画像形成条件の調整を実行させるタイミングを制御するようにしてもよい
【００７５】
また、直前における１回の又は複数回の指示調整モードによる画像形成条件の変更がなされた時点における温湿度に基づいて自動調整モードで画像形成条件の調整を実行させるタイミングを制御することに替えて、直前における１回の又は複数回の指示調整モードによる画像形成条件の変更がなされた時点における温湿度に基づいて、自動調整モードで画像形成条件の調整を実行する際の画像形成条件の調整量を制御するようにしてもよい。さらには、直前における１回の又は複数回の指示調整モードによる画像形成条件の変更がなされた時点における温湿度に基づいて自動調整モードで画像形成条件の調整を実行するタイミングを制御することと併せて、自動調整モードで画像形成条件の調整を実行する際の画像形成条件の調整量を制御するようにしてもよい。
【００７６】
図１２には、自動調整モードにおける制御部１１０による制御の他の例が示されている。図１２に示されている例においては、指示調整モードが実行された時点の前後における画像形成装置１００の制御パラメータの変化量に基づいて、制御部１１０は、自動調整モードを実行させるタイミング及び自動調整モードでの画像形成条件の調整量の少なくともいずれか一方を変更する。より具体的には、制御部１１０は、指示調整モードで画像形成条件の調整の指示を受けた際の感光体上のトナー濃度とその目標とする濃度との差（乖離量）をあらわす値であるトナー濃度濃度差に基づいて、自動調整モードで画像形成条件を変更するタイミングを制御する。
【００７７】
この例では、トナー濃度濃度差が１００以上である場合と、トナー濃度濃度差が５０以上１００未満である場合と、トナー濃度濃度差が５０未満である場合とで制御部１１０は、異なるタイミングで自動調整モードによる画像形成条件を調整させる。すなわち、トナー濃度濃度差が１００以上である場合、制御部１１０は、ジョブ前に画像形成条件を調整させ、ジョブ中は、５０枚の画像形成がされる毎に５０枚間隔で画像形成条件を調整させ、ジョブ後は、先に自動調整モードでの画質の調整をさせてから２５枚の画像が形成された毎に２５枚間隔で画像形成条件を調整させる。
【００７８】
また、トナー濃度濃度差が５０以上１００未満である場合、制御部１１０は、ジョブ前に画像形成条件を調整させ、ジョブ中は、１００枚の画像形成がされた毎に１００枚間隔で画像形成条件を調整させ、ジョブ後は、先に自動調整モードで画像形成条件を変更させてから５０枚の画像が形成される毎に５０枚間隔で画像形成条件を調整させる。また、トナー濃度濃度差が５０未満である場合、制御部１１０は、ジョブ前に画像形成条件を調整させず、ジョブ中は、２００枚の画像形成がされる毎に２００枚間隔で画像形成条件を調整させ、ジョブ後は、先に自動調整モードで画像形成条件を調整させてから１００枚の画像が形成される毎に１００枚間隔で画像形成条件を変更させる。
【００７９】
また、以上の制御では、制御部１１０は、例えば５回等、自動調整モードでの画像形成条件の調整がなされる前になされた複数回の指示調整モードにおけるトナー濃度濃度差が継続して自動調整モードを実行するタイミングの変更基準に該当する場合に、自動調整モードを実行するタイミングを変更する。これに替えて、自動調整モードでの画像形成条件の変更がなされる直前に実行された１回の指示調整モード時のトナー濃度濃度差に単数又は複数の閾値を設定し、係る閾値の前後で、制御部１１０が自動調整モードを実行させるタイミングを変更するようにしても良い。
【００８０】
また、直前における１回の又は複数回の指示調整モードによる画像形成条件の調整が実行された時点におけるトナー濃度濃度差に基づいて、制御部１１０が自動調整モードで画像形成条件の調整をさせるタイミングを制御することに替えて、直前における１回の又は複数回の指示調整モードによる画像形成条件の変更が実行された時点におけるトナー濃度濃度差に基づいて、制御部１１０が自動調整モードで画像形成条件を調整させる際の画像形成条件の調整量を制御するようにしてもよい。さらには、直前における１回の又は複数回の指示調整モードによる画像形成条件の変更が実行された時点におけるトナー濃度濃度差に基づいて、制御部１１０が自動調整モードで画像形成条件を調整させるタイミングを制御することと併せて、自動調整モードで画像形成条件を調整させる際の画像形成条件の調整量を制御するようにしてもよい。
【００８１】
また、以上の例では、制御部１１０は、トナー濃度濃度差に基づいて、自動調整モードで画像形成条件を調整させるタイミングと自動調整モードで画像形成条件の調整を実行する際の画像形成条件の調整量との少なくとも一方を制御しているものの、制御部１１０は、現像バイアス出力、露光出力、光量出力、現像ユニット２２０Ｙ、２２０Ｍ、２２０Ｃ、２２０Ｋがそれぞれに有しているトナー濃度センサの出力等に基づいて、自動調整モードで画像形成条件を調整させるタイミングと自動調整モードで画像形成条件の調整を実行する際の画像形成条件の調整量との少なくとも一方を制御するようにしても良い。
【００８２】
図１３には、自動調整モードにおける制御部１１０による制御のさらに他の例が示されている。図１３に示されている例においては、指示調整モードで画像形成条件が調整された時点における画像形成条件の調整情報に基づいて、自動調整モードにおいて、制御部１１０によって画像形成条件の調整が許容される範囲が変更される。
【００８３】
この例では、例えば直前の指示調整モードで、例えば画像の濃度を高くするために、例えばタッチスクリーン１４２（図９を参照）を操作することにより指示された画像信号の補正量に基づいて、自動調整モードにおいて許容される濃度調整の範囲が制御部１１０によって変更される。より具体的には、直前の指示調整モードで指示された濃度を濃くするための信号の補正量が８以下である場合と、上述の補正量が８よりも大きく１６以下である場合と、１６よりも大きく３２以下である場合とで、自動調整モードにおいて許容される濃度調整の範囲がそれぞれに異なる。
【００８４】
すなわち、図１３に示すように、直前の指示調整モードで指示された濃度を濃くするための信号の補正量が８以下である場合は、自動調整モードにおいて許容される濃度調整の範囲は、低濃度部、中間調部及び高濃度部のいずれにおいても−１０から＋１０の範囲に制限される。また、直前の指示モードで指示された濃度を濃くするための信号の補正量が８よりも大きく１６以下である場合は、自動調整モードにおいて許容される濃度調整の範囲は、低濃度部で−１０から＋１５の範囲に制限され、中間調部と高濃度部とでは−１０から＋１０の範囲に制限される。また、直前の指示調整モードで指示された濃度を濃くするための信号の補正量が１６よりも大きく３２以下である場合は、自動調整モードにおいて許容される濃度調整の範囲は、低濃度部で−１０から＋２０に制限され、中間調部、高濃度部では−１０から＋１０の範囲に制限される。
【００８５】
上述のように、直前に実行された１回の指示調整モードにおける画像形成条件の調整情報に基づいて許容される画像形成条件の調整の範囲を制御部１１０が変更することに替えて、自動調整モードでの調整がなされる前になされた複数回の指示調整モードにおける画像形成条件に調整情報に基づいて、制御部１１０が許容される画像形成条件の調整の範囲を変更するようにしても良い。
【００８６】
図１４は、本発明が適用される第２の画像形成システム１０を示す図である。先述の第１の画像形成システム１０（図１を参照）は、画像形成装置１００と外部記憶装置９１０とを有し、これらが有線の通信路９０２によって接続されていた。これに対して、この第２の画像形成システムは、図１４に示すように、本発明の第２の実施形態に係る画像形成装置１００と外部記憶装置９１０とを有し、さらには本発明の実施形態に係る制御装置８００を有する。また、この第２の画像形成システム１０では、画像形成装置１００と、外部記憶装置９１０及び制御装置８００とはインターネット９０４によって接続されている。
【００８７】
また、先述の第１の画像形成システム１０においては、画像形成装置１００の制御部１１０が画像形成部で画像を形成する際の画質に影響する設定の変更を操作者から受け付ける受付手段として機能し、受付手段が操作者からの指示を受け付けた場合に設定内容に応じて画像形成条件を調整する第１の調整手段として機能し、環境情報または画像形成時の濃度を検知する検知手段の検知結果に応じて画像形成条件を調整する第２の調整手段として機能し、第１の調整手段による画像形成条件の調整が行われた場合に、第２の調整手段における画像形成条件を調整するタイミング及び第２の調整手段における画像調整条件の調整量の少なくともいずれか一方を変更する制御手段として機能していた。これに対して、この第２の画像形成システム１０においては、画像形成装置１００の制御部１１０は、上述の受付手段として機能し、上述の第１の調整手段として機能し、上述の第２の調整手段として機能をするものの、上述の制御手段としては機能しない。上述の制御手段としての機能は、画像形成装置１００の制御部１１０に替わり、制御装置８００によって実現される。すなわち、この第２の画像形成システム１０においては、制御装置８００が、画像形成装置１００を画像形成装置１００の外部から制御する外部制御手段として用いられている。
【００８８】
以上で説明をした部分を除いては、第２の画像形成システム１０の構成は、先述の本発明が適用される第１の画像形成システム１０と同等である。また、本発明の第２の実施形態に係る画像形成システム１０において、外部記憶装置９１０と制御装置８００とを別体とすることに替えて、例えば１つのサーバ等を外部記憶装置９１０として用いると共に、制御装置８００として用いるようにしてもよい。
【００８９】
以上で説明をした第２の画像形成システム１０では、画像形成装置１００の制御部１１０が、上述の受付手段として機能し、上述の第１の調整手段として機能し、上述の第２の調整手段として機能し、制御装置８００が上述の制御手段としての機能するものであった。これに替えて、画像形成装置１００の制御部１１０が上述の受付手段として機能し、制御装置８００が、上述の第１の調整手段として機能し、上述の第２の調整手段として機能し、さらには上述の制御手段としての機能するようにしても良い。
【産業上の利用可能性】
【００９０】
以上で説明をしたように、本発明は、複写機、ファクシミリ装置、プリンタ等の画像形成装置と、例えばこれらの画像形成装置に用いられる制御装置とに適用することができる。
【符号の説明】
【００９１】
１００・・・画像形成装置
１１０・・・制御部
１４０・・・ＵＩ部
１４２・・・タッチスクリーン
２００・・・画像形成部
２６０・・・濃度センサ
８００・・・制御装置
９１０・・・外部記憶装置
【図１】
2016057342.tif 000003
【図２】
2016057342.tif 000004
【図３】
2016057342.tif 000005
【図４】
2016057342.tif 000006
【図５】
2016057342.tif 000007
【図６】
2016057342.tif 000008
【図７】
2016057342.tif 000009
【図８】
2016057342.tif 000010
【図９】
2016057342.tif 000011
【図１０】
2016057342.tif 000012
【図１１】
2016057342.tif 000013
【図１２】
2016057342.tif 000014
【図１３】
2016057342.tif 000015
【図１４】
2016057342.tif 000016